(57)【要約】  本開示は、情報受信方法、情報送信方法、端末及びネットワーク側装置を提供し、該方法は、ターゲットダウンリンク情報の予め設定された傍受時間区間内に前記ターゲットダウンリンク情報を傍受することと、前記予め設定された傍受時間区間内に前記ターゲット端末に対するターゲットダウンリンク情報が存在しないと決定した場合、前記予め設定された傍受時間区間内に前記ターゲットダウンリンク情報を傍受し続けることを停止することとを含む。
2021532663.tif 000002
【特許請求の範囲】
【請求項１】
ターゲット端末に適用される情報受信方法であって、
ターゲットダウンリンク情報の予め設定された傍受時間区間内に前記ターゲットダウンリンク情報を傍受することと、
前記予め設定された傍受時間区間内に前記ターゲット端末に対するターゲットダウンリンク情報が存在しないと決定した場合、前記予め設定された傍受時間区間内に前記ターゲットダウンリンク情報を傍受し続けることを停止することとを含む、情報受信方法。
【請求項２】
前記予め設定された傍受時間区間内に傍受されたｎ（ｎが１以上の整数である）個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定することをさらに含む、請求項１に記載の方法。
【請求項３】
前記予め設定された傍受時間区間内に前記ターゲットダウンリンク情報を傍受する前に、前記ターゲットダウンリンク情報の送信指示情報及び前記ターゲットダウンリンク情報のスケジューリング情報を傍受し、かつ前記ターゲットダウンリンク情報のスケジューリング情報が前記ターゲットダウンリンク情報の送信をスケジューリングしなければ、前記予め設定された傍受時間区間内に前記ターゲット端末に対するターゲットダウンリンク情報が存在しないと決定することをさらに含む、請求項１に記載の方法。
【請求項４】
ネットワーク側装置によって設定されるか又はプロトコルによって規定されるターゲットダウンリンク情報の受信設定情報に基づいて、前記ターゲットダウンリンク情報の予め設定された傍受時間区間を決定することをさらに含む、請求項１に記載の方法。
【請求項５】
前記ターゲットダウンリンク情報の受信設定情報は、前記ターゲットダウンリンク情報の受信周期、及び／又は、前記ターゲットダウンリンク情報の受信リソース設定情報をさらに含む、請求項４に記載の方法。
【請求項６】
前記ターゲットダウンリンク情報の受信設定情報が前記ターゲットダウンリンク情報の受信リソース設定情報を含む場合、
前記ターゲットダウンリンク情報の受信リソース設定情報は、
１つ又は複数の参照信号識別子と、
各参照信号識別子に対応する受信リソース設定情報とを含む、請求項５に記載の方法。
【請求項７】
前記予め設定された傍受時間区間内に傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定することは、
前記予め設定された傍受時間区間内の少なくとも１つの参照信号識別子に対応するリソースから傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定すること、又は、
前記予め設定された傍受時間区間内の各参照信号識別子に対応するリソースから傍受されたｎ個のターゲットダウンリンク情報のいずれにおいても、前記ターゲット端末に対するターゲットダウンリンク情報がなければ、前記予め設定された傍受時間区間内に前記ターゲット端末に対するターゲットダウンリンク情報が存在しないと決定すること、又は、
前記予め設定された傍受時間区間内の複数の参照信号識別子に対応するリソースから傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定することを含む、請求項２に記載の方法。
【請求項８】
異なる参照信号識別子に対応するリソースのｎの値は、同じであるか又は異なる、請求項７に記載の方法。
【請求項９】
ネットワーク側装置の設定又はプロトコルの規定に基づいて、ｎの値を決定することをさらに含む、請求項２又は７又は８に記載の方法。
【請求項１０】
前記ターゲットダウンリンク情報は、
ページングメッセージ、システム情報及び間欠受信ＤＲＸ情報のうちの少なくとも１つを含む、請求項１−８のいずれか１項に記載の方法。
【請求項１１】
ネットワーク側装置に適用される情報送信方法であって、
ターゲットダウンリンク情報の予め設定された傍受時間区間内に前記ターゲットダウンリンク情報を送信することを含む、情報送信方法。
【請求項１２】
前記ターゲットダウンリンク情報には、前記ターゲットダウンリンク情報の端末に対する識別情報が搬送される、請求項１１に記載の方法。
【請求項１３】
前記ターゲットダウンリンク情報の予め設定された傍受時間区間を指示する指示情報を少なくとも含む前記ターゲットダウンリンク情報の受信設定情報を端末に設定することをさらに含む、請求項１１に記載の方法。
【請求項１４】
前記ターゲットダウンリンク情報の受信設定情報は、前記ターゲットダウンリンク情報の受信周期、及び／又は、前記ターゲットダウンリンク情報の受信リソース設定情報をさらに含む、請求項１３に記載の方法。
【請求項１５】
前記ターゲットダウンリンク情報の受信設定情報が前記ターゲットダウンリンク情報の受信リソース設定情報を含む場合、
前記ターゲットダウンリンク情報の受信リソース設定情報は、
１つ又は複数の参照信号識別子と、
各参照信号識別子に対応する受信リソース設定情報とを含む、請求項１４に記載の方法。
【請求項１６】
端末にパラメータｎの値を設定することをさらに含む、請求項１１に記載の方法。
【請求項１７】
前記ターゲットダウンリンク情報は、
ページングメッセージ、システム情報及び間欠受信ＤＲＸ情報のうちの少なくとも１つを含む、請求項１１−１６のいずれか１項に記載の方法。
【請求項１８】
ターゲット端末である端末であって、
ターゲットダウンリンク情報の予め設定された傍受時間区間内に前記ターゲットダウンリンク情報を傍受する傍受モジュールと、
前記予め設定された傍受時間区間内に前記ターゲット端末に対するターゲットダウンリンク情報が存在しないと決定した場合、前記予め設定された傍受時間区間内に前記ターゲットダウンリンク情報を傍受し続けることを停止する停止モジュールとを含む、端末。
【請求項１９】
前記予め設定された傍受時間区間内に傍受されたｎ（ｎが１以上の整数である）個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定する第１の決定モジュールをさらに含む、請求項１８に記載の端末。
【請求項２０】
前記予め設定された傍受時間区間内に前記ターゲットダウンリンク情報を傍受する前に、前記ターゲットダウンリンク情報の送信指示情報及び前記ターゲットダウンリンク情報のスケジューリング情報を傍受し、かつ前記ターゲットダウンリンク情報のスケジューリング情報が前記ターゲットダウンリンク情報の送信をスケジューリングしなければ、前記予め設定された傍受時間区間内に前記ターゲット端末に対するターゲットダウンリンク情報が存在しないと決定する第２の決定モジュールをさらに含む、請求項１８に記載の端末。
【請求項２１】
ネットワーク側装置によって設定されるか又はプロトコルによって規定されるターゲットダウンリンク情報の受信設定情報に基づいて、前記ターゲットダウンリンク情報の予め設定された傍受時間区間を決定する区間決定モジュールをさらに含む、請求項２０に記載の端末。
【請求項２２】
前記ターゲットダウンリンク情報の受信設定情報は、前記ターゲットダウンリンク情報の受信周期、及び／又は、前記ターゲットダウンリンク情報の受信リソース設定情報を含む、請求項２１に記載の端末。
【請求項２３】
前記ターゲットダウンリンク情報の受信設定情報が前記ターゲットダウンリンク情報の受信リソース設定情報を含む場合、
前記ターゲットダウンリンク情報の受信リソース設定情報は、
１つ又は複数の参照信号識別子と、
各参照信号識別子に対応する受信リソース設定情報とを含む、請求項２２に記載の端末。
【請求項２４】
前記第１の決定モジュールは、
前記予め設定された傍受時間区間内の少なくとも１つの参照信号識別子に対応するリソースから傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定するか、
又は、前記予め設定された傍受時間区間内の各参照信号識別子に対応するリソースから傍受されたｎ個のターゲットダウンリンク情報のいずれにおいても、前記ターゲット端末に対するターゲットダウンリンク情報がなければ、前記予め設定された傍受時間区間内に前記ターゲット端末に対するターゲットダウンリンク情報が存在しないと決定するか、
又は、前記予め設定された傍受時間区間内の複数の参照信号識別子に対応するリソースから傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定する第１の決定サブモジュールを含む、請求項１９に記載の端末。
【請求項２５】
異なる参照信号識別子に対応するリソースのｎの値は、同じであるか又は異なる、請求項２４に記載の端末。
【請求項２６】
ネットワーク側装置の設定又はプロトコルの規定に基づいて、ｎの値を決定する第３の決定モジュールをさらに含む、請求項１９又は２４又は２５に記載の端末。
【請求項２７】
前記ターゲットダウンリンク情報は、
ページングメッセージ、システム情報及び間欠受信ＤＲＸ情報のうちの少なくとも１つを含む、請求項１８−２５のいずれか１項に記載の端末。
【請求項２８】
プロセッサと、メモリと、前記メモリに記憶されて前記プロセッサ上で実行でき、前記プロセッサによって実行されると、請求項１〜１０のいずれか１項に記載の情報受信方法を実現するコンピュータプログラムとを含む、端末。
【請求項２９】
プロセッサによって実行されると、請求項１〜１０のいずれか１項に記載の情報受信方法を実現するコンピュータプログラムが記憶されている、コンピュータ読み取り可能な記憶媒体。
【請求項３０】
ターゲットダウンリンク情報の予め設定された傍受時間区間内に前記ターゲットダウンリンク情報を送信する送信モジュールを含む、ネットワーク側装置。
【請求項３１】
前記ターゲットダウンリンク情報には、前記ターゲットダウンリンク情報の端末に対する識別情報が搬送される、請求項３０に記載のネットワーク側装置。
【請求項３２】
前記ターゲットダウンリンク情報の予め設定された傍受時間区間を指示する指示情報を少なくとも含む前記ターゲットダウンリンク情報の受信設定情報を端末に設定する第１の設定モジュールをさらに含む、請求項３０に記載のネットワーク側装置。
【請求項３３】
前記ターゲットダウンリンク情報の受信設定情報は、前記ターゲットダウンリンク情報の受信周期、及び／又は、前記ターゲットダウンリンク情報の受信リソース設定情報をさらに含む、請求項３２に記載のネットワーク側装置。
【請求項３４】
前記ターゲットダウンリンク情報の受信設定情報は、前記ターゲットダウンリンク情報の受信リソース設定情報を含む場合、
前記ターゲットダウンリンク情報の受信リソース設定情報は、
１つ又は複数の参照信号識別子と、
各参照信号識別子に対応する受信リソース設定情報とを含む、請求項３３に記載のネットワーク側装置。
【請求項３５】
端末にパラメータｎの値を設定する第２の設定モジュールをさらに含む、請求項３０に記載のネットワーク側装置。
【請求項３６】
前記ターゲットダウンリンク情報は、
ページングメッセージ、システム情報及び間欠受信ＤＲＸ情報のうちの少なくとも１つを含む、請求項３０−３５のいずれか１項に記載のネットワーク側装置。
【請求項３７】
プロセッサと、メモリと、前記メモリに記憶されて前記プロセッサ上で実行でき、前記プロセッサによって実行されると、請求項１１〜１７のいずれか１項に記載の情報送信方法を実現するコンピュータプログラムとを含む、ネットワーク側装置。
【請求項３８】
プロセッサによって実行されると、請求項１１〜１７のいずれか１項に記載の情報送信方法を実現するコンピュータプログラムが記憶されている、コンピュータ読み取り可能な記憶媒体。
【発明の詳細な説明】
【技術分野】
【０００１】
本願は、２０１８年８月１日に提出された中国特許出願第２０１８１０８６６１９５．６号の優先権を主張するものであり、その全ての内容は、参照により本願に組み込まれるものとする。
本開示は、通信の技術分野に関し、特に情報受信方法、情報送信方法、端末及びネットワーク側装置に関する。
【背景技術】
【０００２】
アンライセンスバンドに対して、送信端は、信号を送信する前に該バンドが占有されているか否かを傍受する必要があり、占有されていなければ、信号を送信することができる。
【０００３】
Ｐａｇｉｎｇ（ページング）メッセージの内容は、主に、システム情報の更新と端末のトラヒック到着を指示する。
【０００４】
端末ＵＥ（Ｕｓｅｒ  Ｅｕｉｐｍｅｎｔ）は、ＩＤＬＥ（アイドル）とＩＮＡＣＴＩＶＥ（非アクティブ又はディアクティベーション）の状態で、ＤＲＸ（Ｄｉｓｃｏｎｔｉｎｕｏｕｓ  Ｒｅｃｅｐｔｉｏｎ、間欠受信）の方式でＰａｇｉｎｇメッセージを受信する。端末がＰａｇｉｎｇメッセージを受信する位置情報は、
１つ又は複数のＰＯを含んでよい１つの無線フレーム番号であるＰＦ（Ｐａｇｉｎｇ  Ｆｒａｍｅ、ページングフレーム）と、
１つのサブフレーム番号であり、該サブフレームにおいてＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）におけるＰ−ＲＮＴＩ（Ｐａｇｉｎｇ  Ｒａｄｉｏ  Ｎｅｔｗｏｒｋ  Ｔｅｍｐｏｒａｒｙ  Ｉｄｅｎｔｉｔｙ、ページング無線ネットワーク一時的識別子）によってｐａｇｉｎｇメッセージがスケジューリングされるＰＯ（Ｐａｇｉｎｇ  Ｏｃｃａｓｉｏｎ、ページングオケージョン）とを含む。
【０００５】
ＰＦ及びＰＯの位置は、端末がそのＵＥ＿ＩＤ（例えば、ＩＭＳＩ、Ｉｎｔｅｒｎａｔｉｏｎａｌ  Ｍｏｂｉｌｅ  Ｓｕｂｓｃｒｉｂｅｒ  Ｉｄｅｎｔｉｔｙ、国際モバイル加入者アイデンティティ）に基づいて算出されるものである。端末がＰａｇｉｎｇメッセージを受信するＤＲＸ周期は、システム情報におけるブロードキャストＰａｇｉｎｇ周期と端末の特定のＰａｇｉｎｇ周期のうちの最も短いものによって決定される。
【０００６】
アンライセンスバンドでＰａｇｉｎｇメッセージを送信する際に、ＰＯの位置でチャネルが占有されてＰａｇｉｎｇメッセージを送信できない可能性があるため、端末がＰＯ位置で連続的に一定時間傍受することが要求されることにより、Ｐａｇｉｎｇメッセージが端末に受信されることを保証することができる。
【０００７】
以上より、端末がページングメッセージの送信位置で連続的に一定時間傍受すれば、ネットワーク側が該ページングメッセージを端末に送信しなくても、端末が依然としてページングメッセージを傍受し続けるため、端末の消費電力量及びワット損の増加を引き起こす。同様に、システム情報及び／又はＤＲＸ情報に対する端末の受信原理は、ページングメッセージに対する端末の受信原理と同じであり、端末のワット損及び消費電力量の増加を引き起こすこともある。
【発明の概要】
【０００８】
本開示は、端末が一部のダウンリンク情報を連続的な傍受の方式で受信することによる端末の消費電力量の増加という従来技術における問題を解決するために、情報受信方法、情報送信方法、端末及びネットワーク側装置を提供する。
【０００９】
上記技術的課題を解決するために、本開示の実施例は、以下のように実現される。ターゲット端末に適用される情報受信方法は、
ターゲットダウンリンク情報の予め設定された傍受時間区間内に前記ターゲットダウンリンク情報を傍受することと、
前記予め設定された傍受時間区間内に前記ターゲット端末に対するターゲットダウンリンク情報が存在しないと決定した場合、前記予め設定された傍受時間区間内に前記ターゲットダウンリンク情報を傍受し続けることを停止することとを含む。
【００１０】
本開示の実施例に係る、ネットワーク側装置に適用される情報送信方法は、
ターゲットダウンリンク情報の予め設定された傍受時間区間内に前記ターゲットダウンリンク情報を送信することを含む。
【００１１】
本開示の実施例に係る、ターゲット端末である端末は、
ターゲットダウンリンク情報の予め設定された傍受時間区間内に前記ターゲットダウンリンク情報を傍受する傍受モジュールと、
前記予め設定された傍受時間区間内に前記ターゲット端末に対するターゲットダウンリンク情報が存在しないと決定した場合、前記予め設定された傍受時間区間内に前記ターゲットダウンリンク情報を傍受し続けることを停止する停止モジュールとを含む。
【００１２】
本開示の実施例に係る端末は、プロセッサと、メモリと、前記メモリに記憶され前記プロセッサ上で動作でき、前記プロセッサによって実行されると、上記のような情報受信方法を実現するコンピュータプログラムとを含む。
【００１３】
本開示の実施例に係るコンピュータ読み取り可能な記憶媒体には、プロセッサによって実行されると、上記のような情報受信方法を実現するコンピュータプログラムが記憶されている。
【００１４】
本開示の実施例に係るネットワーク側装置は、
ターゲットダウンリンク情報の予め設定された傍受時間区間内に前記ターゲットダウンリンク情報を送信する送信モジュールを含む。
【００１５】
本開示の実施例に係るネットワーク側装置は、プロセッサと、メモリと、前記メモリに記憶され前記プロセッサ上で動作でき、前記プロセッサによって実行されると、上記のような情報送信方法を実現するコンピュータプログラムとを含む。
【００１６】
本開示の実施例に係るコンピュータ読み取り可能な記憶媒体には、プロセッサによって実行されると、上記のような情報送信方法を実現するコンピュータプログラムが記憶されている。
【００１７】
本開示の実施例では、端末は、予め設定された傍受時間区間内にターゲットダウンリンク情報を傍受し、前記予め設定された傍受時間区間内に本端末に対するターゲットダウンリンク情報が存在しないと決定した場合、前記予め設定された傍受時間区間内に該ターゲットダウンリンク情報を傍受することを停止することにより、端末のワット損を低減し、かつ端末の電力量を節約することができる。
【図面の簡単な説明】
【００１８】
本開示の実施例の技術手段をより明確に説明するために、以下、本開示の実施例の説明に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【００１９】
【図１】本開示の実施例に係る無線通信システムのアーキテクチャの概略図である。
【図２】本開示の実施例に係る情報受信方法のステップフローチャートである。
【図３】本開示の実施例に係る情報送信方法のステップ概略図である。
【図４】本開示の実施例に係る情報受信方法が非マルチビームシナリオに適用される原理概略図である。
【図５】本開示の実施例に係る情報受信方法がマルチビームシナリオに適用される原理概略図である。
【図６】本開示の実施例に係る端末の概略構成図その１である。
【図７】本開示の実施例に係る端末の概略構成図その２である。
【図８】本開示の実施例に係る端末の概略構成図その３である。
【図９】本開示の実施例に係るネットワーク側装置の概略構成図である。
【発明を実施するための形態】
【００２０】
以下、本開示の実施例における図面を参照しながら、本開示の実施例における技術手段を明確かつ完全的に説明する。明らかに、説明される実施例は、本開示の実施例の一部であり、全てではない。本開示の実施例に基づいて、当業者が創造的な労働をしない前提で得られる他のすべての実施例は、いずれも本開示の保護範囲に属するものである。
【００２１】
以下、本開示の実施例における図面を参照しながら、本開示の実施例における技術手段を明確かつ完全的に説明する。明らかに、説明される実施例は、本開示の実施例の一部であり、全てではない。本開示の実施例に基づいて、当業者が創造的な労働をしない前提で得られる他のすべての実施例は、いずれも本開示の保護範囲に属するものである。
【００２２】
本開示の実施例では、「例示的」又は「例えば」などの用語は、例、事例又は例示の働きをすることを意味するものである。本開示の実施例では、「例示的」又は「例えば」として説明されるいかなる実施例又は設計案は、他の実施例又は設計案よりも好ましい又は有利であると解釈すべきではない。むしろ、使用される「例示的」又は「例えば」などの用語は、具体的な方式で関連する概念を提示することを目的とする。
【００２３】
以下、図面を参照しながら、本開示の実施例を説明する。本開示の実施例に係る早期指示信号の検出方法、伝送方法、端末及びネットワーク側装置は、無線通信システムに適用することができる。該無線通信システムとしては、第５世代（５Ｇ）システム、又は進化型ロングタームエボリューション（Ｅｖｏｌｖｅｄ  Ｌｏｎｇ  Ｔｅｒｍ  Ｅｖｏｌｕｔｉｏｎ、ｅＬＴＥ）システム、又は後続の進化型通信システムを採用してよい。図１を参照して、本開示の実施例に係る無線通信システムのアーキテクチャの概略図である。図１に示すように、該無線通信システムは、ネットワーク側装置１０と、例えばＵＥ１１と表記され、ネットワーク側装置１０に接続できる端末（端末は、ユーザ側装置と呼ばれてもよい）とを含んでよい。実際の応用において、上記各装置間の接続は、無線接続であってよく、各装置間の接続関係を簡単かつ直感的に表すために、図１において実線で示す。
【００２４】
なお、上記通信システムは、複数のＵＥを含んでもよく、ネットワーク側装置は、複数のＵＥと通信することができる（シグナリング又はデータを伝送する）。
【００２５】
本開示の実施例に係るネットワーク側装置１０は、基地局であってよく、該基地局は、一般的に使用される基地局であってもよく、進化型基地局（ｅｖｏｌｖｅｄ  ｎｏｄｅ  ｂａｓｅ  ｓｔａｔｉｏｎ、ｅＮＢ）であってもよく、５Ｇシステムにおけるネットワーク側装置（例えば、次世代基地局（ｎｅｘｔ  ｇｅｎｅｒａｔｉｏｎ  ｎｏｄｅ  ｂａｓｅ  ｓｔａｔｉｏｎ、ｇＮＢ）又は送受信ポイント（ｔｒａｎｓｍｉｓｓｉｏｎ  ａｎｄ  ｒｅｃｅｐｔｉｏｎ  ｐｏｉｎｔ、ＴＲＰ））又はセルｃｅｌｌなどの装置であってもよい。
【００２６】
本開示の実施例に係る端末は、携帯電話、タブレットコンピュータ、ノートブックコンピュータ、ウルトラモバイルパーソナルコンピュータ（Ｕｌｔｒａ−Ｍｏｂｉｌｅ  Ｐｅｒｓｏｎａｌ  Ｃｏｍｐｕｔｅｒ、ＵＭＰＣ）、ネットブック、ウェアラブル装置（Ｗｅａｒａｂｌｅ  Ｄｅｖｉｃｅ）、車載装置又はパーソナルデジタルアシスタントなどであってよい。なお、本開示の実施例では、端末の具体的なタイプを限定しない。
【００２７】
図２に示すように、本開示の実施例に係る、ターゲット端末に適用される情報受信方法は、以下のステップ２０１〜２０２を含む。
【００２８】
ステップ２０１では、ターゲットダウンリンク情報の予め設定された傍受時間区間内に前記ターゲットダウンリンク情報を傍受する。
【００２９】
本ステップでは、前記ターゲットダウンリンク情報は、ページングメッセージ、システム情報及び間欠受信ＤＲＸ情報のうちの少なくとも１つを含む。
【００３０】
例えば、ターゲットダウンリンク情報がページングメッセージである場合、ターゲットダウンリンク情報の予め設定された傍受時間区間は、ページングメッセージのページングオケージョンＰＯを時間起点とする１つの時間区間である。また例えば、ページングメッセージの１つのＰＯ位置での予め設定された傍受時間区間の時間長が１０ｍｓであれば、端末は、該ＰＯの開始位置でページングメッセージの送信を１０ｍｓ連続的に傍受するか、又は、該ＰＯの開始位置で予め設定されたモードに従ってウィンドウ内の一部の時間を１０ｍｓ傍受してページングメッセージを検出する。
【００３１】
ステップ２０２では、前記予め設定された傍受時間区間内に前記ターゲット端末に対するターゲットダウンリンク情報が存在しないと決定した場合、前記予め設定された傍受時間区間内に前記ターゲットダウンリンク情報を傍受し続けることを停止する。
【００３２】
本ステップでは、前記予め設定された傍受時間区間内に前記ターゲット端末に対するターゲットダウンリンク情報が存在しないことは、少なくとも以下のケース１〜２を含む。
【００３３】
ケース１では、端末は、予め設定された傍受時間区間内にターゲットダウンリンク情報を傍受できるが、傍受されたターゲットダウンリンク情報がターゲット端末に対するターゲットダウンリンク情報ではなく、すなわち、ネットワーク側は、ターゲット端末に対するターゲットダウンリンク情報を送信しない。
【００３４】
ケース２では、端末は、予め設定された傍受時間領域内にいかなるターゲットダウンリンク情報を傍受せず、すなわち、ネットワーク側は、ターゲットダウンリンク情報を送信しない。
【００３５】
一方では、ケース１に対して、本開示の実施例に係る方法は、
前記予め設定された傍受時間区間内に傍受されたｎ（ｎが１以上の整数である）個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定することをさらに含む。
【００３６】
具体的には、ターゲットダウンリンク情報に前記ターゲット端末の識別情報が搬送されなければ、該ターゲットダウンリンク情報は、該ターゲット端末に対するものではないことを示し、逆に、ターゲットダウンリンク情報に前記ターゲット端末の識別情報が搬送されば、該ターゲットダウンリンク情報は、該ターゲット端末に対するものであることを示す。
【００３７】
例えば、ターゲットダウンリンク情報がページングメッセージである場合、ターゲット端末は、ＰＯの開始位置でＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）を傍受し、ＰＤＣＣＨにＰ−ＲＮＴＩ（Ｐａｇｉｎｇ  Ｒａｄｉｏ  Ｎｅｔｗｏｒｋ  Ｔｅｍｐｏｒａｒｙ  Ｉｄｅｎｔｉｔｙ、ページング無線ネットワーク一時識別子)が搬送されば、ＰＤＣＣＨの指示に従って前記ページングメッセージをさらに受信し、ターゲット端末が受信したｎ個のページングメッセージのうちに、前記ターゲット端末の識別子を搬送するページングメッセージがない場合、予め設定された傍受時間区間内に前記ページングメッセージを傍受することを停止する。例えば、ターゲット端末は、第ｎ個のページングメッセージを受信し、かつ受信した第１個のページングメッセージ−第ｎ個のページングメッセージのいずれにもターゲット端末の識別子が搬送しない場合、第ｎ個のページングメッセージを受信した後にページングメッセージの受信を停止する。なお、ページングメッセージが周期的に送信されるため、上記ターゲット端末が第ｎ個のページングメッセージを受信した後にページングメッセージの受信を停止することは、具体的には、本周期に対応する予め設定された傍受時間区間内にページングメッセージの受信を停止し、次の周期の予め設定された傍受時間区間に端末がターゲットダウンリンク情報の傍受を再開する必要があることを意味する。
【００３８】
本開示の１つの実施例として、ターゲット端末が受信した第ｉ（ｉがｎ以下の正整数である）個のターゲットダウンリンク情報が前記ターゲット端末に対するターゲットダウンリンク情報である場合、該端末は、該予め設定された傍受時間区間内に前記ターゲットダウンリンク情報を傍受し続けることを停止する。
【００３９】
換言すれば、ケース１に対して、以下の条件１〜２のいずれかを満たす場合、ターゲット端末は、前記予め設定された傍受時間区間内に前記ターゲットダウンリンク情報を傍受し続けることを停止する。
【００４０】
条件１では、ターゲット端末が前記予め設定された傍受時間区間内に傍受したｎ個のターゲットダウンリンク情報のうちに、前記ターゲット端末に対するターゲットダウンリンク情報がない。
【００４１】
条件２では、ターゲット端末が受信した第ｉ個のターゲットダウンリンク情報が前記ターゲット端末に対するものであり、かつｉがｎ以下の正整数である。
【００４２】
他方では、ケース２に対して、本開示の実施例に係る方法は、
前記予め設定された傍受時間区間内に前記ターゲットダウンリンク情報を傍受する前に、前記ターゲットダウンリンク情報の送信指示情報及び前記ターゲットダウンリンク情報のスケジューリング情報を傍受し、かつ前記ターゲットダウンリンク情報のスケジューリング情報が前記ターゲットダウンリンク情報の送信をスケジューリングしなければ、前記予め設定された傍受時間区間内に前記ターゲット端末に対するターゲットダウンリンク情報が存在しないと決定することをさらに含む。
【００４３】
具体的には、ターゲットダウンリンク情報の送信指示情報及びターゲットダウンリンク情報のスケジューリング情報がダウンリンクチャネルに載せられ、上記ダウンリンクチャネルがターゲットダウンリンク情報の送信のためにリソースブロックＲＢを予約又は設定しなければ、ターゲットダウンリンク情報のスケジューリング情報が前記ターゲットダウンリンク情報の送信をスケジューリングせず、すなわち、ネットワーク側装置が該ターゲットダウンリンク情報を送信しないことを示す。
【００４４】
例えば、ターゲットダウンリンク情報がページングメッセージである場合、ターゲット端末は、ＰＯの開始位置でＰＤＣＣＨを傍受し、ＰＤＣＣＨにＰ−ＲＮＴＩ及びスケジューリング情報が搬送されるが、そのスケジューリング情報がページングメッセージの送信をスケジューリングしなければ（すなわち、ＰＤＣＣＨは、ページングメッセージの送信のために十分なＲＢを設定又は予約しなければ）、予め設定された傍受時間区間内に前記ページングメッセージを傍受することを停止する。なお、ページングメッセージが周期的に送信され、次の周期の予め設定された傍受時間区間内に端末がＰＤＣＣＨの傍受を再開する必要があるため、ページングメッセージを傍受し続けるか又は停止するかをさらに判断する。
【００４５】
上記の例に続き、本開示の上記実施例では、前記方法は、ステップ２０１の前に、
ネットワーク側装置によって設定されるか又はプロトコルによって規定されるターゲットダウンリンク情報の受信設定情報に基づいて、前記ターゲットダウンリンク情報の予め設定された傍受時間区間を決定するステップをさらに含む。
【００４６】
１つの実施例として、前記ターゲットダウンリンク情報の受信設定情報は、前記ターゲットダウンリンク情報の受信周期、及び／又は、前記ターゲットダウンリンク情報の受信リソース設定情報をさらに含む。
【００４７】
例えば、ターゲットダウンリンク情報は、ページングメッセージであり、ターゲットダウンリンク情報の受信周期が３２０ｍｓに設定されてよく、ターゲットダウンリンク情報の予め設定された傍受時間区間がＰＯ位置からの１０ｍｓに設定されてよく、ターゲットダウンリンク情報の受信リソース設定情報がＰＤＣＣＨのリソース設定情報である。
【００４８】
なお、本開示の実施例に係る情報受信方法は、非マルチビームシナリオ（シングルビームシナリオとも呼ばれる）に適用されてもよく、マルチビームシナリオに適用されてもよい。
【００４９】
非マルチビームシナリオは、具体的には、ネットワーク側装置が１つのビームを通じてターゲットダウンリンク情報を送信し、これに対応して、端末が対応するビームを通じてターゲットダウンリンク情報を傍受することを示す。マルチビームシナリオは、具体的には、ネットワーク側装置が２つ以上のビームを通じてそれぞれターゲットダウンリンク情報を送信し、これに対応して、端末が上記２つ以上のビームを通じてそれぞれターゲットダウンリンク情報を傍受することを示す。
【００５０】
非マルチビームシナリオに対して、端末及びネットワーク側装置が１つのビームのみを通じてターゲットダウンリンク情報を送信するため、上記ターゲットダウンリンク情報の受信リソース設定情報は、ビーム識別子を搬送しなくてもよく、ビーム識別子を搬送してもよく(該ビーム識別子は、具体的に参照信号識別子によって指示されてよく)、マルチビームシナリオに対して、異なるビームの受信リソースを明確にするために、上記ターゲットダウンリンク情報の受信リソース設定情報は、それぞれのビーム識別子及び各ビーム識別子に対応する受信リソース設定情報を搬送する必要がある。
【００５１】
すなわち、１つの実施例として、前記ターゲットダウンリンク情報の受信設定情報が前記ターゲットダウンリンク情報の受信リソース設定情報を含む場合、
前記ターゲットダウンリンク情報の受信リソース設定情報は、
１つ又は複数の参照信号識別子と、
各参照信号識別子に対応する受信リソース設定情報とを含む。
【００５２】
例えば、参照信号識別子は、ＳＳＢ（Ｓｙｎｃｈｒｏｎｏｕｓ  Ｓｉｇｎａｌ  Ｂｌｏｃｋ、同期信号ブロック）の識別子、及び／又は、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、チャネル状態情報参照信号）の識別子を含む。
【００５３】
また、本開示の上記実施例では、前記方法は、
ネットワーク側装置の設定又はプロトコルの規定に基づいて、ｎの値を決定するステップをさらに含む。
【００５４】
上記の例に続き、本開示の上記実施例では、マルチビームシナリオに対して、パラメータｎは、１つのビームに対して設定されてもよく、複数ビームに対して設定されてもよい。また、異なる参照信号識別子に対応するリソース（異なるビーム）のｎの値は、同じであるか又は異なる。
【００５５】
例えば、マルチビームシナリオは、それぞれＳＳＢ１とＳＳＢ２で指示される２つのビームを含む。ＳＳＢ１とＳＳＢ２のそれぞれにｎを設定し、例えば、ＳＳＢ１に対応するｎの値は１であり、ＳＳＢ２に対応するｎの値は２であり、或いは、ＳＳＢ１に対応するｎの値は１であり、ＳＳＢ２に対応するｎの値も１である。或いは、ＳＳＢ１及びＳＳＢ２に同一のｎを設定し、例えば、ＳＳＢ１及びＳＳＢ２に対応するｎの値は３である。
【００５６】
これに対応して、本開示の上記実施例では、前記予め設定された傍受時間区間内に傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定することは、
前記予め設定された傍受時間区間内の少なくとも１つの参照信号識別子に対応するリソースから傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定し、すなわち、いずれかのビームから傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定すること、
又は、前記予め設定された傍受時間区間内の各参照信号識別子に対応するリソースから傍受されたｎ個のターゲットダウンリンク情報のいずれにおいても、前記ターゲット端末に対するターゲットダウンリンク情報がなければ、前記予め設定された傍受時間区間内に前記ターゲット端末に対するターゲットダウンリンク情報が存在しないと決定し、すなわち、各ビームからそれぞれ傍受されたｎ個のターゲットダウンリンク情報のいずれにおいても、前記ターゲット端末に対するターゲットダウンリンク情報がなければ、前記予め設定された傍受時間区間内に前記ターゲット端末に対するターゲットダウンリンク情報が存在しないと決定すること、
又は、前記予め設定された傍受時間区間内の複数の参照信号識別子に対応するリソースから傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定し、すなわち、複数のビームから傍受されたターゲットダウンリンク情報の総数がｎであり、かつ該ｎ個のターゲットダウンリンク情報のいずれにおいても、前記ターゲット端末に対するターゲットダウンリンク情報がなければ、前記予め設定された傍受時間区間内に前記ターゲット端末に対するターゲットダウンリンク情報が存在しないと決定すること、を含む。
【００５７】
以上より、本開示の上記実施例では、端末は、予め設定された傍受時間区間内にターゲットダウンリンク情報を傍受し、前記予め設定された傍受時間区間内に本端末に対するターゲットダウンリンク情報が存在しないと決定した場合、前記予め設定された傍受時間区間内に該ターゲットダウンリンク情報を傍受することを停止して、端末のワット損を低減し、かつ端末の電力量を節約することができる。
【００５８】
図３に示すように、本開示の実施例に係る、ネットワーク側装置に適用される情報送信方法は、
ターゲットダウンリンク情報の予め設定された傍受時間区間内に前記ターゲットダウンリンク情報を送信するステップ３０１を含む。
【００５９】
本ステップでは、前記ターゲットダウンリンク情報は、ページングメッセージ、システム情報及び間欠受信ＤＲＸ情報のうちの少なくとも１つを含む。
【００６０】
例えば、ターゲットダウンリンク情報がページングメッセージである場合、ターゲットダウンリンク情報の予め設定された傍受時間区間は、ページングメッセージのページングオケージョンＰＯを時間起点とする１つの時間区間である。また例えば、ページングメッセージの１つのＰＯ位置での予め設定された傍受時間区間の時間長が１０ｍｓであれば、ネットワーク側装置は、該予め設定された傍受時間区間のいずれかの時刻でページングメッセージを送信するか、又は、予め設定されたモードに従ってページングメッセージを送信する。
【００６１】
好ましくは、本開示の上記実施例では、前記ターゲットダウンリンク情報には、前記ターゲットダウンリンク情報の端末に対する識別情報が搬送される。
【００６２】
例えば、ターゲットダウンリンク情報がページングメッセージであり、ページングメッセージが端末１の識別子を搬送すれば、該ページングメッセージは、端末１に対するものであり、ページングメッセージが端末２の識別子を搬送すれば、該ページングメッセージは、端末２に対するものである。端末は、ページングメッセージ傍受のプロセスにおいて自体に対するページングメッセージを受信してもよく、他の端末に対するページングメッセージを受信してもよく、自体の識別子とページングメッセージに搬送される識別子とを照合することにより該ページングメッセージが該端末に対するものであるか否かを決定することができる。
【００６３】
上記の例に続き、本開示の上記実施例では、ステップ３０１の前に、前記方法は、
前記ターゲットダウンリンク情報の予め設定された傍受時間区間を指示する指示情報を少なくとも含む前記ターゲットダウンリンク情報の受信設定情報を端末に設定するステップをさらに含む。
【００６４】
１つの実施例として、前記ターゲットダウンリンク情報の受信設定情報は、前記ターゲットダウンリンク情報の受信周期、及び／又は、前記ターゲットダウンリンク情報の受信リソース設定情報をさらに含む。
【００６５】
例えば、ターゲットダウンリンク情報は、ページングメッセージであり、ターゲットダウンリンク情報の受信周期が３２０ｍｓに設定されてよく、ターゲットダウンリンク情報の予め設定された傍受時間区間がＰＯ位置からの１０ｍｓに設定されてよく、ターゲットダウンリンク情報の受信リソース設定情報がＰＤＣＣＨのリソース設定情報である。
【００６６】
なお、本開示の実施例に係る情報送信方法は、非マルチビームシナリオ（シングルビームシナリオとも呼ばれる）に適用されてもよく、マルチビームシナリオに適用されてもよい。
【００６７】
非マルチビームシナリオは、具体的には、ネットワーク側装置が１つのビームを通じてターゲットダウンリンク情報を送信し、これに対応して、端末が対応するビームを通じてターゲットダウンリンク情報を傍受することを示す。マルチビームシナリオは、具体的には、ネットワーク側装置が２つ以上のビームを通じてそれぞれターゲットダウンリンク情報を送信し、これに対応して、端末が上記２つ以上のビームを通じてそれぞれターゲットダウンリンク情報を傍受することを示す。
【００６８】
非マルチビームシナリオに対して、端末及びネットワーク側装置が１つのビームのみを通じてターゲットダウンリンク情報を送信するため、上記ターゲットダウンリンク情報の受信リソース設定情報は、ビーム識別子を搬送しなくてもよく、ビーム識別子を搬送してもよく(該ビーム識別子は、具体的に参照信号識別子によって指示されてよく)、マルチビームシナリオに対して、異なるビームの受信リソースを明確にするために、上記ターゲットダウンリンク情報の受信リソース設定情報は、それぞれのビーム識別子及び各ビーム識別子に対応する受信リソース設定情報を搬送する必要がある。
【００６９】
すなわち、１つの実施例として、前記ターゲットダウンリンク情報の受信設定情報が前記ターゲットダウンリンク情報の受信リソース設定情報を含む場合、
前記ターゲットダウンリンク情報の受信リソース設定情報は、
１つ又は複数の参照信号識別子と、
各参照信号識別子に対応する受信リソース設定情報とを含む。
【００７０】
例えば、参照信号識別子は、ＳＳＢ（Ｓｙｎｃｈｒｏｎｏｕｓ  Ｓｉｇｎａｌ  Ｂｌｏｃｋ、同期信号ブロック）の識別子、及び／又は、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、チャネル状態情報参照信号）の識別子を含む。
【００７１】
また、本開示の上記実施例では、前記方法は、
端末にパラメータｎの値を設定するステップをさらに含む。
【００７２】
本開示の上記実施例では、マルチビームシナリオに対して、パラメータｎは、１つのビームに対して設定されてもよく、複数ビームに対して設定されてもよい。また、異なる参照信号識別子に対応するリソース（異なるビーム）のｎの値は、同じであるか又は異なる。
【００７３】
例えば、マルチビームシナリオは、それぞれＳＳＢ１とＳＳＢ２で指示される２つのビームを含む。ＳＳＢ１とＳＳＢ２のそれぞれにｎを設定し、例えば、ＳＳＢ１に対応するｎの値は１であり、ＳＳＢ２に対応するｎの値は２であり、或いは、ＳＳＢ１に対応するｎの値は１であり、ＳＳＢ２に対応するｎの値も１である。或いは、ＳＳＢ１及びＳＳＢ２に同一のｎを設定し、例えば、ＳＳＢ１及びＳＳＢ２に対応するｎの値は３である。
【００７４】
以上より、本開示の上記実施例では、ネットワーク側装置は、ターゲットダウンリンク情報の予め設定された傍受時間区間内に前記ターゲットダウンリンク情報を送信し、かつ端末に前記ターゲットダウンリンク情報の受信設定情報を設定することにより、端末がターゲットダウンリンク情報を傍受する効率を向上させる。
【００７５】
本開示の実施例に係る方法をより明確に説明するために、以下、例１〜２を参照しながら詳細に説明する。
【００７６】
例１（非マルチビームシナリオ）
図４に示すように、ターゲットダウンリンク情報がページングメッセージであると仮定し、対応する情報受信方法は、以下のステップ１〜３を含む。
【００７７】
ステップ１では、ネットワーク側装置の設定又はプロトコルの規定に基づいて、ページングメッセージの受信設定情報を決定し、該ページングメッセージの受信設定情報は、
ページングメッセージの受信周期、
ページングメッセージに対応するＰＤＣＣＨリソース設定情報、及び
ページングメッセージの予め設定された傍受時間区間内の関連情報を含む。
【００７８】
また、ネットワーク側の設定又はプロトコルの規定に基づいて、パラメータｎが２であると決定する。
【００７９】
ステップ２では、端末は、ステップ１における受信設定情報に基づいて、予め設定された傍受時間区間内にページングメッセージを傍受する。
【００８０】
ステップ３では、端末は、第１又は第２のページングメッセージを受信した場合、第１又は第２のページングメッセージが該端末に対するものであれば、該予め設定された傍受時間区間内にページングメッセージを傍受し続けることを停止し、そうでなければ、端末が受信した２つのページングメッセージには該端末に対するページングメッセージが含まれていなければ、該予め設定された傍受時間区間内にページングメッセージを傍受し続けることを停止する。
【００８１】
例２（マルチビームシナリオ）
図５に示すように、ターゲットダウンリンク情報がページングメッセージであると仮定し、対応する情報受信方法は、以下のステップ４〜６を含む。
【００８２】
ステップ４では、ネットワーク側装置の設定又はプロトコルの規定に基づいて、ページングメッセージの受信設定情報を決定し、該ページングメッセージの受信設定情報は、
ページングメッセージの受信周期、
ページングメッセージに対応するＰＤＣＣＨリソース設定情報（ＳＳＢ１の識別子及びＳＳＢ１に対応するＰＤＣＣＨリソース設定、ＳＳＢ２の識別子及びＳＳＢ２に対応するＰＤＣＣＨリソース設定）、及び
ページングメッセージの予め設定された傍受時間区間内の関連情報を含む。
【００８３】
また、ネットワーク側の設定又はプロトコルの規定に基づいて、ＳＳＢ１に対応するパラメータｎが１であり、ＳＳＢ２に対応するパラメータｎが２であり、或いは、ＳＳＢ１とＳＳＢ２の全体に対応するパラメータｎが２であると決定する。
【００８４】
ステップ５では、端末は、ステップ１における受信設定情報に基づいて、予め設定された傍受時間区間内にページングメッセージを傍受する。
【００８５】
ステップ６では、端末は、ＳＳＢ１で受信した１つのページングメッセージが該端末に対するものでなく、及び／又は、端末がＳＳＢ２で受信した２つのページングメッセージがいずれも該端末に対するものでなければ、該予め設定された傍受時間区間内にページングメッセージを傍受し続けることを停止する。
【００８６】
或いは、端末は、ＳＳＢ１でページングメッセージを受信し、ＳＳＢ２で２つのページングページングメッセージを受信し、かつこれら２つのページングメッセージがいずれも該端末に対するものでなければ、該予め設定された傍受時間区間内にページングメッセージを傍受し続けることを停止する。
【００８７】
以上より、本開示の上記実施例では、端末は、予め設定された傍受時間区間内にターゲットダウンリンク情報を傍受し、前記予め設定された傍受時間区間内に本端末に対するターゲットダウンリンク情報が存在しないと決定した場合、前記予め設定された傍受時間区間内に該ターゲットダウンリンク情報を傍受することを停止して、端末のワット損を低減し、かつ端末の電力量を節約することができることにより、節電の効果を達成する。
【００８８】
図６に示すように、本開示の実施例に係る、ターゲット端末である端末６００は、
ターゲットダウンリンク情報の予め設定された傍受時間区間内に前記ターゲットダウンリンク情報を傍受する傍受モジュール６０１と、
前記予め設定された傍受時間区間内に前記ターゲット端末に対するターゲットダウンリンク情報が存在しないと決定した場合、前記予め設定された傍受時間区間内に前記ターゲットダウンリンク情報を傍受し続けることを停止する停止モジュール６０２とを含む。
【００８９】
好ましくは、本開示の上記実施例では、前記端末は、
前記予め設定された傍受時間区間内に傍受されたｎ（ｎが１以上の整数である）個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定する第１の決定モジュールをさらに含む。
【００９０】
好ましくは、本開示の上記実施例では、前記端末は、
前記予め設定された傍受時間区間内に前記ターゲットダウンリンク情報を傍受する前に、前記ターゲットダウンリンク情報の送信指示情報及び前記ターゲットダウンリンク情報のスケジューリング情報を傍受し、かつ前記ターゲットダウンリンク情報のスケジューリング情報が前記ターゲットダウンリンク情報の送信をスケジューリングしなければ、前記予め設定された傍受時間区間内に前記ターゲット端末に対するターゲットダウンリンク情報が存在しないと決定する第２の決定モジュールをさらに含む。
【００９１】
好ましくは、本開示の上記実施例では、前記端末は、
ネットワーク側装置によって設定されるか又はプロトコルによって規定されるターゲットダウンリンク情報の受信設定情報に基づいて、前記ターゲットダウンリンク情報の予め設定された傍受時間区間を決定する区間決定モジュールをさらに含む。
【００９２】
好ましくは、本開示の上記実施例では、前記ターゲットダウンリンク情報の受信設定情報は、前記ターゲットダウンリンク情報の受信周期、及び／又は、前記ターゲットダウンリンク情報の受信リソース設定情報を含む。
【００９３】
好ましくは、本開示の上記実施例では、前記ターゲットダウンリンク情報の受信設定情報が前記ターゲットダウンリンク情報の受信リソース設定情報を含む場合、
前記ターゲットダウンリンク情報の受信リソース設定情報は、
１つ又は複数の参照信号識別子と、
各参照信号識別子に対応する受信リソース設定情報とを含む。
【００９４】
好ましくは、本開示の上記実施例では、前記第１の決定モジュールは、
前記予め設定された傍受時間区間内の少なくとも１つの参照信号識別子に対応するリソースから傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定するか、
又は、前記予め設定された傍受時間区間内の各参照信号識別子に対応するリソースから傍受されたｎ個のターゲットダウンリンク情報のいずれにおいても、前記ターゲット端末に対するターゲットダウンリンク情報がなければ、前記予め設定された傍受時間区間内に前記ターゲット端末に対するターゲットダウンリンク情報が存在しないと決定するか、
又は、前記予め設定された傍受時間区間内の複数の参照信号識別子に対応するリソースから傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定する第１の決定サブモジュールを含む。
【００９５】
好ましくは、本開示の上記実施例では、異なる参照信号識別子に対応するリソースのｎの値は、同じであるか又は異なる。
【００９６】
好ましくは、本開示の上記実施例では、前記端末は、
ネットワーク側装置の設定又はプロトコルの規定に基づいて、ｎの値を決定する第３の決定モジュールをさらに含む。
【００９７】
好ましくは、本開示の上記実施例では、前記ターゲットダウンリンク情報は、
ページングメッセージ、システム情報及び間欠受信ＤＲＸ情報のうちの少なくとも１つを含む。
【００９８】
本開示の実施例に係る端末は、上記情報受信方法の実施例における端末が実現する各プロセスを実現することができ、重複を避けるために、ここでは説明を省略する。
【００９９】
以上より、本開示の上記実施例では、端末は、予め設定された傍受時間区間内にターゲットダウンリンク情報を傍受し、前記予め設定された傍受時間区間内に本端末に対するターゲットダウンリンク情報が存在しないと決定した場合、前記予め設定された傍受時間区間内に該ターゲットダウンリンク情報を傍受することを停止して、端末のワット損を低減し、かつ端末の電力量を節約することができることにより、節電の効果を達成する。
【０１００】
なお、本開示の実施例に係る端末が上記情報受信方法を実行できる端末であれば、上記情報受信方法の全ての実施例は、いずれも該端末に適用し、かつ同じ又は類似する効果を達成することができる。
【０１０１】
図７は、本開示の各実施例を実現する端末のハードウェア構造概略図であり、該端末７００は、無線周波数ユニット７０１、ネットワークモジュール７０２、オーディオ出力ユニット７０３、入力ユニット７０４、センサ７０５、表示ユニット７０６、ユーザ入力ユニット７０７、インタフェースユニット７０８、メモリ７０９、プロセッサ７１０及び電源７１１などの部品を含むが、これらに限定されない。当業者であれば理解できるように、図７に示す端末の構造は、端末を限定するものではなく、端末は、図示より多いか又は少ない部品を含んでもよく、ある部品を組み合わせたり、異なる部品配置を有したりしてもよい。本開示の実施例では、端末は、携帯電話、タブレットコンピュータ、ノートパソコン、パームトップコンピュータ、車載端末、ウェアラブル装置及び歩数計などを含むが、これらに限定されない。
【０１０２】
無線周波数ユニット７０１は、ターゲットダウンリンク情報の予め設定された傍受時間区間内に前記ターゲットダウンリンク情報を傍受し、
プロセッサ７１０は、前記予め設定された傍受時間区間内に前記ターゲット端末に対するターゲットダウンリンク情報が存在しないと決定した場合、前記予め設定された傍受時間区間内に前記ターゲットダウンリンク情報を傍受し続けることを停止する。
【０１０３】
以上より、本開示の上記実施例では、端末は、予め設定された傍受時間区間内にターゲットダウンリンク情報を傍受し、前記予め設定された傍受時間区間内に本端末に対するターゲットダウンリンク情報が存在しないと決定した場合、前記予め設定された傍受時間区間内に該ターゲットダウンリンク情報を傍受することを停止して、端末のワット損を低減し、かつ端末の電力量を節約することができることにより、節電の効果を達成する。
【０１０４】
なお、本開示の実施例に係る端末が上記情報受信方法を実行できる端末であれば、上記情報受信方法の全ての実施例は、いずれも該端末に適用し、かつ同じ又は類似する効果を達成することができる。
【０１０５】
本開示の実施例では、無線周波数ユニット７０１は、情報の送受信又は通話中の信号の送受信に用いられてよく、具体的には、基地局からのダウンリンクデータを受信した後、プロセッサ７１０に処理させ、また、アップリンクデータを基地局に送信することを理解されたい。一般的には、無線周波数ユニット７０１は、アンテナ、少なくとも１つの増幅器、送受信機、カプラ、低雑音増幅器、デュプレクサなどを含むが、これらに限定されない。また、無線周波数ユニット７０１は、さらに、無線通信システムによりネットワーク及び他の装置と通信することができる。
【０１０６】
端末は、ネットワークモジュール７０２によりユーザに無線のブロードバンドインターネットアクセスを提供して、例えば、ユーザの電子メールの送受信、ウェブの閲覧及びストリーミングメディアのアクセスなどを助ける。
【０１０７】
オーディオ出力ユニット７０３は、無線周波数ユニット７０１又はネットワークモジュール７０２によって受信されるか又はメモリ７０９に記憶されるオーディオデータをオーディオ信号に変換して音声として出力することができる。また、オーディオ出力ユニット７０３は、さらに、端末７００によって実行される特定の機能に関連するオーディオ出力（例えば、呼出音、メッセージ着信音など）を提供することができる。オーディオ出力ユニット７０３は、スピーカー、ブザー及びレシーバーなどを含む。
【０１０８】
入力ユニット７０４は、オーディオ又はビデオ信号を受信する。入力ユニット７０４は、グラフィック処理ユニット（Ｇｒａｐｈｉｃｓ  Ｐｒｏｃｅｓｓｉｎｇ  Ｕｎｉｔ、ＧＰＵ）７０４１及びマイクロフォン７０４２を含んでよく、グラフィック処理ユニット７０４１は、ビデオ撮影モード又は撮影モードで撮影装置（例えば、カメラ）によって取得された静止画像又はビデオの画像データを処理する。処理後の画像フレームは、表示ユニット７０６に表示されてよい。グラフィック処理ユニット７０４１によって処理された画像フレームは、メモリ７０９（又は他の記憶媒体）に記憶されてもよく、無線周波数ユニット７０１又はネットワークモジュール７０２によって送信されてもよい。マイクロフォン７０４２は、音声を受信し、かつこのような音声をオーディオデータに処理することができる。処理後のオーディオデータは、電話通話モードで無線周波数ユニット７０１によって移動通信基地局に送信可能なフォーマットに変換されて出力することができる。
【０１０９】
端末７００は、光センサ、動きセンサ及び他のセンサなどの少なくとも１種のセンサ７０５をさらに含む。具体的には、光センサは、環境光線の明るさに応じて表示パネル７０６１の輝度を調節することができる環境光センサと、端末７００が耳元に移動するときに、表示パネル７０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向き／横向きの切替、ゲーム関連、磁力計の姿勢較正）、振動識別に関連する機能（例えば、歩数計、タッピング）などに用いられてよく、センサ７０５は、指紋センサ、圧力センサ、虹彩センサ、分子センサ、ジャイロスコープ、気圧計、湿度計、温度計、赤外線センサなどをさらに含んでよく、ここでは説明を省略する。
【０１１０】
表示ユニット７０６は、ユーザによって入力された情報又はユーザに提供する情報を表示する。表示ユニット７０６は、表示パネル７０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル７０６１を配置することができる。
【０１１１】
ユーザ入力ユニット７０７は、入力された数字又は文字情報を受信するとともに、端末におけるユーザ設定及び機能制御に関連するキー信号入力を生成することができる。具体的には、ユーザ入力ユニット７０７は、タッチパネル７０７１及び他の入力装置７０７２を含む。タッチパネル７０７１は、タッチスクリーンとも呼ばれ、その上又はその近くでのユーザのタッチ操作（例えば、指、スタイラスペンなどの任意の適切な物体又は付属品を用いるタッチパネル７０７１上又はタッチパネル７０７１の近くでのユーザの操作）を収集することができる。タッチパネル７０７１は、タッチ検出装置及びタッチコントローラの２つの部品を含んでよい。タッチ検出装置は、ユーザのタッチ方位を検出し、かつタッチ操作による信号を検出し、タッチコントローラに伝送し、タッチコントローラは、タッチ検出装置からタッチ情報を受信し、タッチポイント座標に変換して、プロセッサ７１０に送信し、プロセッサ７１０から送信されたコマンドを受信し、実行する。また、抵抗式、容量式、赤外線式及び表面弾性波式などの複数のタイプでタッチパネル７０７１を実現することができる。タッチパネル７０７１に加えて、ユーザ入力ユニット７０７は、他の入力装置７０７２をさらに含んでよい。具体的には、他の入力装置７０７２は、物理キーボード、機能キー（例えば、ボリューム調節キー、スイッチキーなど）、トラックボール、マウス及び操作レバーを含み得るが、これらに限定されず、ここでは説明を省略する。
【０１１２】
さらに、タッチパネル７０７１は、表示パネル７０６１にカバーされてよく、タッチパネル７０７１がその上又はその近くでのタッチ操作を検出した後、プロセッサ７１０に伝送してタッチイベントのタイプを決定し、その後に、プロセッサ７１０は、タッチイベントのタイプに基づいて表示パネル７０６１上に対応する視覚的出力を提供する。図７において、タッチパネル７０７１と表示パネル７０６１は、２つの独立した部品として端末の入出力機能を実現するが、いくつかの実施例では、タッチパネル７０７１と表示パネル７０６１を一体化して端末の入出力機能を実現することができ、ここでは具体的に限定しない。
【０１１３】
インタフェースユニット７０８は、外部装置と端末７００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット７０８は、外部装置からの入力（例えば、データ情報、電力など）を受信すると共に、受信した入力を端末７００内の１つ以上の素子に伝送するか又は端末７００と外部装置との間にデータを伝送することができる。
【０１１４】
メモリ７０９は、ソフトウェアプログラム及び様々なデータを記憶することができる。メモリ７０９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ７０９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【０１１５】
プロセッサ７１０は、端末の制御センターであり、様々なインタフェースと回線により端末全体の各部分に接続され、メモリ７０９に記憶されているソフトウェアプログラム及び／又はモジュールを動作させるか又は実行し、メモリ７０９に記憶されたデータを呼び出すことにより、端末の様々な機能とデータ処理を実行して、端末全体を監視する。プロセッサ７１０は、１つ以上の処理ユニットを含んでよく、好ましくは、プロセッサ７１０は、主にオペレーティングシステム、ユーザインタフェース及びアプリケーションプログラムなどを処理するアプリケーションプロセッサと、主に無線通信を処理するモデムプロセッサとを集積することができる。理解できるように、上記モデムプロセッサは、プロセッサ７１０に集積されなくてよい。
【０１１６】
端末７００は、各部品に給電する電源７１１（例えば、電池）を含んでよく、好ましくは、電源７１１は、電源管理システムによりプロセッサ７１０と論理的に接続されて、電源管理システムにより充電、放電の管理及びワット損の管理などの機能を実現することができる。
【０１１７】
また、端末７００は、いくつかの未図示の機能モジュールを含み、ここでは説明を省略する。
【０１１８】
好ましくは、図８に示すように、本開示の実施例に係る端末は、プロセッサ８００と、メモリ８１０と、メモリ８１０に記憶され前記プロセッサ８００上で実行でき、プロセッサ８００によって実行されると、上記情報受信方法の実施例の各プロセスを実現し、かつ同じ技術的効果を達成できるコンピュータプログラムとを含み、重複を避けるために、ここでは説明を省略する。
【０１１９】
本開示の実施例に係るコンピュータ読み取り可能な記憶媒体には、プロセッサによって実行されると、上記情報受信方法の実施例の各プロセスを実現し、かつ同じ技術的効果を達成できるコンピュータプログラムが記憶されており、重複を避けるために、ここでは説明を省略する。前記コンピュータ読み取り可能な記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、磁気ディスク又は光ディスクなどであってよい。
【０１２０】
図９に示すように、本開示の実施例に係るネットワーク側装置９００は、
ターゲットダウンリンク情報の予め設定された傍受時間区間内に前記ターゲットダウンリンク情報を送信する送信モジュール９０１を含む。
【０１２１】
好ましくは、本開示の上記実施例では、前記ターゲットダウンリンク情報には、前記ターゲットダウンリンク情報の端末に対する識別情報が搬送される。
【０１２２】
好ましくは、本開示の上記実施例では、前記ネットワーク側装置は、
前記ターゲットダウンリンク情報の予め設定された傍受時間区間を指示する指示情報を少なくとも含む前記ターゲットダウンリンク情報の受信設定情報を端末に設定する第１の設定モジュールをさらに含む。
【０１２３】
好ましくは、本開示の上記実施例では、前記ターゲットダウンリンク情報の受信設定情報は、前記ターゲットダウンリンク情報の受信周期、及び／又は、前記ターゲットダウンリンク情報の受信リソース設定情報をさらに含む。
【０１２４】
好ましくは、本開示の上記実施例では、前記ターゲットダウンリンク情報の受信設定情報が前記ターゲットダウンリンク情報の受信リソース設定情報を含む場合、
前記ターゲットダウンリンク情報の受信リソース設定情報は、
１つ又は複数の参照信号識別子と、
各参照信号識別子に対応する受信リソース設定情報とを含む。
【０１２５】
好ましくは、本開示の上記実施例では、前記ネットワーク側装置は、
端末にパラメータｎの値を設定する第２の設定モジュールをさらに含む。
【０１２６】
好ましくは、本開示の上記実施例では、前記ターゲットダウンリンク情報は、
ページングメッセージ、システム情報及び間欠受信ＤＲＸ情報のうちの少なくとも１つを含む。
【０１２７】
以上より、本開示の上記実施例では、ネットワーク側装置は、ターゲットダウンリンク情報の予め設定された傍受時間区間内に前記ターゲットダウンリンク情報を送信し、かつ端末に前記ターゲットダウンリンク情報の受信設定情報を設定することにより、端末がターゲットダウンリンク情報を傍受する効率を向上させる。
【０１２８】
なお、本開示の実施例に係るネットワーク側装置が上記情報送信方法を実行できるネットワーク側装置であれば、上記情報送信方法の全ての実施例は、いずれも該ネットワーク側装置に適用し、かつ同じ又は類似する効果を達成することができる。
【０１２９】
好ましくは、本開示の実施例に係るネットワーク側装置は、プロセッサと、メモリと、前記メモリに記憶されて前記プロセッサ上で実行でき、前記プロセッサによって実行されると、上記情報送信方法の実施例の各プロセスを実現し、かつ同じ技術的効果を達成することができるコンピュータプログラムとを含み、重複を避けるために、ここでは説明を省略する。
【０１３０】
本開示の実施例に係るコンピュータ読み取り可能な記憶媒体には、プロセッサによって実行されると、上記情報送信方法の実施例の各プロセスを実現し、かつ同じ技術的効果を達成できるコンピュータプログラムが記憶されており、重複を避けるために、ここでは説明を省略する。前記コンピュータ読み取り可能な記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、磁気ディスク又は光ディスクなどであってよい。
【０１３１】
なお、本明細書において、用語「含む」、「備える」及びそれらのいかなる変形は、非排他的な包含をカバーすることを意図し、一連の要素を含むプロセス、方法、製品又は装置は、それらの要素を含むだけでなく、明確に例示されていない他の要素をさらに含むか、又はこれらのプロセス、方法、製品又は装置に固有の要素をさらに含む。より多くの限定がない場合に、語句「１つ…を含む」により限定された要素は、該要素を含むプロセス、方法、製品又は装置に別の同じ要素がさらに存在することを排除するものではない。
【０１３２】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分がソフトウェア製品の形態で具現化されてよく、該コンピュータソフトウェア製品は、記憶媒体（例えば、ＲＯＭ／ＲＡＭ、磁気ディスク、光ディスク）に記憶されており、1台の端末（携帯電話、コンピュータ、サーバ、エアコン又はネットワーク装置などであってよい）に本開示の各実施例に記載の方法を実行させるための複数の命令を含む。電子ハードウェアは、電子回路、専用の集積回路、プログラマブルな論理デバイス、プログラマブルなプロセッサなどを含むが、これらに限定されない。
【０１３３】
以上、図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲から逸脱せずに多くの態様を達成することができ、これらはいずれも本開示の保護範囲内に属する。
【０１３４】
以上の内容は、本開示の具体的な実施形態に過ぎず、本開示の保護範囲がこれに限定されず、当業者であれば本開示に開示された技術的範囲内に、容易に想到し得る変化又は置き換えは、いずれも本開示の保護範囲に属するものである。したがって、本開示の保護範囲は、特許請求の範囲の保護範囲を基準とすべきである。
【図１】
2021532663.tif 000003
【図２】
2021532663.tif 000004
【図３】
2021532663.tif 000005
【図４】
2021532663.tif 000006
【図５】
2021532663.tif 000007
【図６】
2021532663.tif 000008
【図７】
2021532663.tif 000009
【図８】
2021532663.tif 000010
【図９】
2021532663.tif 000011
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
ターゲット端末に適用される情報受信方法であって、
ターゲットダウンリンク情報の予め設定された傍受時間区間内に前記ターゲットダウンリンク情報を傍受することと、
前記予め設定された傍受時間区間内に前記ターゲット端末に対するターゲットダウンリンク情報が存在しないと決定した場合、前記予め設定された傍受時間区間内に前記ターゲットダウンリンク情報を傍受し続けることを停止することとを含む、情報受信方法。
【請求項２】
前記予め設定された傍受時間区間内に傍受されたｎ（ｎが１以上の整数である）個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定することをさらに含む、請求項１に記載の方法。
【請求項３】
前記予め設定された傍受時間区間内に前記ターゲットダウンリンク情報を傍受する前に、前記ターゲットダウンリンク情報の送信指示情報及び前記ターゲットダウンリンク情報のスケジューリング情報を傍受し、かつ前記ターゲットダウンリンク情報のスケジューリング情報が前記ターゲットダウンリンク情報の送信をスケジューリングしなければ、前記予め設定された傍受時間区間内に前記ターゲット端末に対するターゲットダウンリンク情報が存在しないと決定することをさらに含む、請求項１に記載の方法。
【請求項４】
ネットワーク側装置によって設定されるか又はプロトコルによって規定されるターゲットダウンリンク情報の受信設定情報に基づいて、前記ターゲットダウンリンク情報の予め設定された傍受時間区間を決定することをさらに含み、
前記ターゲットダウンリンク情報の受信設定情報は、前記ターゲットダウンリンク情報の受信周期、及び／又は、前記ターゲットダウンリンク情報の受信リソース設定情報をさらに含み、
前記ターゲットダウンリンク情報の受信設定情報が前記ターゲットダウンリンク情報の受信リソース設定情報を含む場合、
前記ターゲットダウンリンク情報の受信リソース設定情報は、
１つ又は複数の参照信号識別子と、
各参照信号識別子に対応する受信リソース設定情報とを含む、請求項１に記載の方法。
【請求項５】
前記予め設定された傍受時間区間内に傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定することは、
前記予め設定された傍受時間区間内の少なくとも１つの参照信号識別子に対応するリソースから傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定すること、又は、
前記予め設定された傍受時間区間内の各参照信号識別子に対応するリソースから傍受されたｎ個のターゲットダウンリンク情報のいずれにおいても、前記ターゲット端末に対するターゲットダウンリンク情報がなければ、前記予め設定された傍受時間区間内に前記ターゲット端末に対するターゲットダウンリンク情報が存在しないと決定すること、又は、
前記予め設定された傍受時間区間内の複数の参照信号識別子に対応するリソースから傍受されたｎ個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定することを含む、請求項２に記載の方法。
【請求項６】
前記ターゲットダウンリンク情報は、
ページングメッセージ、システム情報及び間欠受信ＤＲＸ情報のうちの少なくとも１つを含む、請求項１−５のいずれか１項に記載の方法。
【請求項７】
ネットワーク側装置に適用される情報送信方法であって、
ターゲットダウンリンク情報の予め設定された傍受時間区間内に前記ターゲットダウンリンク情報を送信することを含む、情報送信方法。
【請求項８】
前記ターゲットダウンリンク情報には、前記ターゲットダウンリンク情報の端末に対する識別情報が搬送される、請求項７に記載の方法。
【請求項９】
前記ターゲットダウンリンク情報の予め設定された傍受時間区間を指示する指示情報を少なくとも含む前記ターゲットダウンリンク情報の受信設定情報を端末に設定することをさらに含み、
前記ターゲットダウンリンク情報の受信設定情報は、前記ターゲットダウンリンク情報の受信周期、及び／又は、前記ターゲットダウンリンク情報の受信リソース設定情報をさらに含み、
前記ターゲットダウンリンク情報の受信設定情報が前記ターゲットダウンリンク情報の受信リソース設定情報を含む場合、
前記ターゲットダウンリンク情報の受信リソース設定情報は、
１つ又は複数の参照信号識別子と、
各参照信号識別子に対応する受信リソース設定情報とを含む、請求項７に記載の方法。
【請求項１０】
前記ターゲットダウンリンク情報は、
ページングメッセージ、システム情報及び間欠受信ＤＲＸ情報のうちの少なくとも１つを含む、請求項７−９のいずれか１項に記載の方法。
【請求項１１】
ターゲット端末である端末であって、
ターゲットダウンリンク情報の予め設定された傍受時間区間内に前記ターゲットダウンリンク情報を傍受する傍受モジュールと、
前記予め設定された傍受時間区間内に前記ターゲット端末に対するターゲットダウンリンク情報が存在しないと決定した場合、前記予め設定された傍受時間区間内に前記ターゲットダウンリンク情報を傍受し続けることを停止する停止モジュールとを含む、端末。
【請求項１２】
前記予め設定された傍受時間区間内に傍受されたｎ（ｎが１以上の整数である）個のターゲットダウンリンク情報のうちに、前記ターゲット端末に対するターゲットダウンリンク情報がなければ、前記予め設定された傍受時間区間内に前記ターゲット端末に対するターゲットダウンリンク情報が存在しないと決定する第１の決定モジュールをさらに含む、請求項１１に記載の端末。
【請求項１３】
前記予め設定された傍受時間区間内に前記ターゲットダウンリンク情報を傍受する前に、前記ターゲットダウンリンク情報の送信指示情報及び前記ターゲットダウンリンク情報のスケジューリング情報を傍受し、かつ前記ターゲットダウンリンク情報のスケジューリング情報が前記ターゲットダウンリンク情報の送信をスケジューリングしなければ、前記予め設定された傍受時間区間内に前記ターゲット端末に対するターゲットダウンリンク情報が存在しないと決定する第２の決定モジュールをさらに含む、請求項１１に記載の端末。
【請求項１４】
ターゲットダウンリンク情報の予め設定された傍受時間区間内に前記ターゲットダウンリンク情報を送信する送信モジュールを含む、ネットワーク側装置。
【請求項１５】
プロセッサによって実行されると、請求項１〜６のいずれか１項に記載の情報受信方法、又は、請求項７〜１０のいずれか１項に記載の情報送信方法を実現するコンピュータプログラムが記憶されている、コンピュータ読み取り可能な記憶媒体。
【国際調査報告】
2021532663.tif 000012
2021532663.tif 000013
2021532663.tif 000014
2021532663.tif 000015